(57)【特許請求の範囲】
【請求項１】
比重が１．０未満で、蒸気圧が水よりも低い油系成分と、水系成分とを含む排水トラップの封水蒸発防止剤組成物であって、
当該封水蒸発防止剤組成物が乳化又は分散された後、下水側及び排水口側に空気との界面を持つ排水トラップに溜められた封水へ排水口側から投入されると、
前記油系成分が下水側にも移動し、分離し、前記下水側及び排水口側の封水の表面をカバーする封水蒸発防止剤組成物。
【請求項２】
更に、界面活性剤を含む請求項１記載の封水蒸発防止剤組成物。
【請求項３】
前記油系成分は、油脂、流動パラフィン、アルコール、ケトン、アルデヒド、エステル、シリコーン、炭化水素から少なくとも１種類以上を含むことを特徴とする請求項１又は２に記載の封水蒸発防止剤組成物。
【請求項４】
比重が１．０未満で、蒸気圧が水よりも低い油系成分と、水系成分とを混合し、撹拌して乳化若しくは分散させて、排水トラップに溜められた封水へ排水口側から投入し、該封水と下水側及び排水口側の空気との間に不揮発性の層を形成させる排水トラップの封水蒸発防止方法。
【請求項５】
更に、界面活性剤とを混合し、撹拌して、排水トラップに投入する請求項４に記載の封水蒸発防止方法。
【請求項６】
乳化された状態が撹拌１０秒後に認められることを特徴とする請求項１から３のいずれかに記載の封水蒸発防止剤組成物。
【請求項７】
前記油系成分は、２〜３０質量％であることを特徴とする請求項１から３のいずれかに記載の封水蒸発防止剤組成物。
【請求項８】
前記油系成分及び水系成分が混合され、撹拌されて乳化若しくは分散されたものを、前記封水の下水側へ移動させることを特徴とする請求項４又は５に記載の封水蒸発防止方法。
【発明の詳細な説明】
【技術分野】
【０００１】
本発明は、排水口部や配管等に取り付けられる水封型排水トラップの封水の蒸発防止剤組成物及び該組成物を用いた封水の蒸発防止方法に関し、より詳しくは、封水となる水と混合されて使用され該封水の蒸発を防止可能な蒸発防止剤組成物及び蒸発防止方法に関する。
【背景技術】
【０００２】
従来より、浴槽、浴室、洗面台、流し台など使用によって排水が生じる各種の排水機器には、使用によって生じた排水を床下配管など下水側等に排出する排水装置が取り付けられている。これらの排水装置には、一般に下水側からの臭気や、害虫や小動物類が屋内側に侵入することを防止する機能を有する水封型排水トラップが備えられる。この水封型排水トラップは、排水流路中に水封部という排水が溜まる部分を設けて、下水側からの臭気や害虫や小動物が屋内に入ることを防止する。かかる水封型排水トラップの種類としては、以下に述べるものを例としてあげることができる。例えば、図５（ａ）の洗面台１０においては、水道栓１２の出口から出る水を受けるシンク１４の排水の吸い込み口の直下の管をＳ字型にし、水封部を設け封水１８を溜めたＳトラップ型の水封型排水トラップが用いられている。このＳトラップ型の水封型排水トラップを過ぎた配管２０は、鉛直下方向に伸びている。また、図５（ｂ）では、Ｐトラップ型の水封型排水トラップを用いる排水系４０が示されている。漏斗のような排水を受ける受け部４２は、Ｐ字を横に倒したような形で曲げられた配管４４においては、同様に下に凸の屈曲部に水封部が設けられ、封水４６が溜められている。これにより、排水管のその先４８から来る臭気等を遮断することができる。また、図５（ｃ）では、Ｕ字型に配管を屈曲させて封水を溜めたＵトラップ型の水封型排水トラップを用いる排水系６０が示されている。ここでも同様に、Ｕ字型の配管が水封部を形成し、溜められた封水６４により、配管の左側６２と右側６６が遮断されている。
【０００３】
また、図５（ｄ）に示すように、水洗便器８０も一種の水封型排水トラップであるといえる。便器８２の凹部には、封水８４が溜められ、仕切り板８６により、その先の排水管８６からの臭気等を遮断している。更に、図５（ｅ）には、台所の流し台、浴室の床などの排水口などで使用されている水封型排水トラップ１００を示している。このような排水口は、上方が開放された有底筒状の本体１０６の底部のほぼ中央位置に配水管１１０を侵入させて立ち上がり部を設けている。この立ち上がり部の上から、下方開放の椀状又は吊りがね（ベル）状キャップ体１０４が被せられている。立ち上がり部と、有底筒状の本体１０６とにより、封水１０８を溜めることができる貯留部を形成し、キャップ体１０４の側壁により、臭気等を遮断する封水部を形成する。尚、キャップ体１０４の上には排水に混入した固形物を取り除くため、多数個の開口を有する円盤状の目皿１０２が配置されている。かかる水封型排水トラップ１００は、通常、キャップ体１０４の形状がベル状（吊りがね状）または椀状を成すことからベルトラップまたはワントラップと称される。
【０００４】
上述のように、水封型排水トラップにおいては、封水として用いられる水が臭気等を遮断するために重要な役割を果たしている。これらの水封型排水トラップにおいては、排水毎にその一部を水封部に貯留させて水封を行っているため、頻繁に排水が行われている場合には問題がないが、排水頻度が少なくなると、封水としての水の自然蒸発により、臭気等を遮断する機能を有しなくなるおそれがある。特に図５（ｅ）で示したベルトラップ型またはワントラップ型の水封型排水トラップは、水封される水の量が少なく、かつ開口部の面積が大きい為、封水の蒸発が激しく夏季などは短期間でトラップの役目を果たせなくなってしまうおそれがある。特に、長期間旅行等で自宅を留守にしていた場合、賃貸住宅の長期間契約が決まらず空室だった場合、長期間使用しない別荘等の場合では、水の蒸発による機能低下は頻繁に起きており、部屋中が不快な下水の悪臭で満ちてしまったり、夥しい数の害虫や小動物類が室内に侵入したりといった実害が生じた事例もある。更に、ボイラー室や発電室などの高温雰囲気下の屋内に設置された排水トラップでは、封水の蒸発速度が早くなるため比較的短い期間に上述のようなことが生じる。
【０００５】
従って、定期的に水封型排水トラップの封水を監視し、減少した封水を適宜補充する必要があるが、賃貸住宅の空室を定期的に循環訪問したり、わざわざ使用していない別荘を訪問したりして、多数ある排水トラップすべての封水の減少を点検し、補充するには、多大な労力がかかり、経済的にも好ましいものではない。そのため、例えば特許文献１では、水封型排水トラップの水封部分の封水が蒸発して無くなっても悪臭の侵入を遮断できるように、排水吸込口を密閉封鎖可能な構成とした排水トラップが開示されている。更に、特許文献２には、水封型排水トラップの封水の蒸発による減少分を自動的に補水して封水を長期間維持するための自動補水器が開示されている。
【特許文献１】特開２０００−３２８６２５号公報
【特許文献２】特開２００４−３３２４７２号公報
【発明の開示】
【発明が解決しようとする課題】
【０００６】
しかし、特許文献１に開示された排水トラップは、封水減少による臭気を防止するもので、水封型排水トラップの機能自体を回復させるものではない。この技術では、臭気を防止する機能が十分ではないだけでなく、通常の排水口としての機能を阻害する。即ち、排水の都度に排水吸込口の開閉操作を毎回行う必要がある。従って、誤って排水吸込口を開口せずに排水してしまうと排水がなされず、排水口付近で水があふれてしまうおそれがある。
【０００７】
また、特許文献２に開示された封水自動補水器は、排水トラップの封水の蒸発による減少分を自動的に補水して封水を長期間維持するための装置であるが、水の蒸発を停止するものではないのでいずれ自動封水補水器の水もなくなり、水封型排水トラップの機能を失うことになる。仮に、より長期に維持しようとすれば、封水自動補水器は大型にならざるを得ず、設置の容易さ、コストにおいて十分な解決になっていない。特に、通常１軒の家屋の中には、浴室、浴槽、洗面台、流し台等少なくとも３〜４ヶ所の排水トラップがあり、一つ一つかかる封水自動補水器を備えられるとなれば、設置の労力も多大になってしまう。
【０００８】
以上のような課題に鑑みて、本発明では、水封型排水トラップの封水部の封水の蒸発を効果的に防止できる蒸発防止剤組成物を提供する。また、かかる組成物を用いて、封水部の封水の蒸発を効果的に防止できる方法を提供する。
【課題を解決するための手段】
【０００９】
本発明の水封型排水トラップの封水蒸発防止剤組成物は、封水として用いられる水と混合して使用され、水封型排水トラップにおける水の蒸発を効果的に防止できるものである。また、かかる封水蒸発防止剤組成物を水と混合して、排水口から流すことにより、容易に水封型排水トラップの封水としての水の蒸発を効果的に防止することができる。
【００１０】
この封水蒸発防止剤組成物は、比重が水よりも小さく、蒸気圧が水よりも小さい油系成分を主成分とする。更に、封水蒸発防止剤組成物は、界面活性剤を含んでよい。また、封水の蒸発を防止する方法は、所定量の封水蒸発防止剤組成物を所定の割合で水と混合し、撹拌後、排水口へ流すことを特徴とする。
【００１１】
具体的には、以下のようなものを提供することができる。
（１）比重が１．０未満で、蒸気圧が水よりも低い油系成分と、水系成分とを含む排水トラップの封水蒸発防止剤組成物。
【００１２】
（２）更に、界面活性剤を含む上記（１）記載の封水蒸発防止剤組成物。
【００１３】
（３）油系成分は、油脂、流動パラフィン、アルコール、ケトン、アルデヒド、エステル、シリコーン、炭化水素から少なくとも１種類以上を含むことを特徴とする上記（１）又は（２）に記載の封水蒸発防止剤組成物。
【００１４】
（４）比重が１．０未満で、蒸気圧が水よりも低い油系成分と、水系成分とを混合し、撹拌して、排水トラップに投入する排水トラップの封水蒸発防止方法。
【００１５】
（５）更に、界面活性剤とを混合し、撹拌して、排水トラップに投入する上記（４）に記載の封水蒸発防止方法。
【００１６】
ここで、当該封水蒸発防止剤組成物中において、上記油系成分を１〜９９質量％含むことが好ましい。また、上記水系成分については、１〜９９質量％含むことが好ましい。従って、この封水蒸発防止剤組成物は、上記油系成分を１〜９９質量％含み残部を上記水系成分としてもよい。
【００１７】
また、当該封水蒸発防止剤組成物中において、更に、上記界面活性剤を０．００１〜３０質量％含むことが好ましい。そして、当該封水蒸発防止剤組成物中において、上記油系成分及び上記水系成分が合わせて７０〜９９質量％となり、残部を上記界面活性剤としてもよい。
【００１８】
また、当該封水蒸発防止剤組成物は、上記油系成分、上記水系成分、又は上記界面活性剤の何れにも属さない成分を含んでよい。例えば、色素、防腐剤等の所定の機能を果たす液体又はこの封水蒸発防止剤組成物に溶解若しくは十分に分散する固体成分を含んでよい。
【００１９】
上記油系成分は、油脂類、流動パラフィン類、アルコール類、ケトン類、アルデヒド類、エステル類、シリコーン類、炭化水素類から少なくとも１種類以上を含んでよい。特に、油脂類、流動パラフィン類、シリコーン類が好ましい。ここで流動パラフィンは、常温では無色の液体で非揮発性であるが、わずかに臭うものである。水には不溶である。第３種有機溶剤で引火性があり危険物に該当する。化学的に安定な物質で、通常の条件では酸化を受けない。乳化しやすくのびや浸透性に優れる。純度は紫外光の吸光度により計測できる。流動パラフィンは、例えば、ヌジョール（ｎｕｊｏｌ）、ミネラルスピリット、ミネラルターペン、ホワイトスピリット、ホワイト油、白色鉱油、石油スピリット、ミネラルシンナー、ペトロリウムスピリット、水パラフィン、ミネラルオイル、ミネラルオイルホワイト、医療用パラフィン（ｍｅｄｉｃｉｎａｌ  ｐａｒａｆｆｉｎ）、パラフィンファックス、ｓａｘｏｌ、ＵＳＰ  ｍｉｎｅｒａｌ  ｏｉｌ、ａｄｅｐｓｉｎｅ  ｏｉｌ、Ａｌｂｏｌｅｎｅ、ｇｌｙｍｏｌ等を含んでよい。
【００２０】
また、シリコーン（ｓｉｌｉｃｏｎｅ）は、シロキサン結合を骨格とした高分子有機化合物（ポリマー）である。比較的分子量の小さいものはポリシロキサン（ｐｏｌｙｓｉｌｏｘａｎｅ）とも呼ばれる。構造的にはケトンの主鎖の炭素がケイ素に置き換わった分子であり、本来はシリカケトン（ｓｉｌｉｃａ  ｋｅｔｏｎｅ）であるが、略称としてシリコーンと呼ばれている。
【００２１】
排水トラップの封水蒸発防止方法においては、排水トラップにおける既に貯留されている封水と空気（相）との界面の間に、不揮発性の層を形成することを特徴とすることができる。しかしながら、排水トラップにおいて、排水口側の封水と空気（相）との界面へは容易にアクセスできるが、下水側の封水と空気（相）との界面へは容易にアクセスできない。排水口側であれば、排水口から不揮発性の層を形成する水よりも比重が小さい油系成分等を投入すればよい。しかしながら、下水側には直接アクセスする手段がなく、敢えて行えるとすれば、可曲性のパイプ若しくはチューブを下水側まで差し込みそのパイプ若しくはチューブにかかる油系成分を投入することができる。この場合であっても、パイプ若しくはチューブ内に封水が流れ込まないようにしなければならない。流れ込んだ封水がかかる油系成分が下水側に移動することを妨げるからである。本発明の封水蒸発防止方法においては、このような比重が低い油系成分を水系成分と混合し分散させることにより、分散された混合物の見かけの比重が水の比重に近く、排水口から投入される勢いにより、封水トラップの底部近傍若しくはそれを越えて下水側になるところまで、かかる分散された混合物を移動させることができる。その後、浮力により油系成分が分離して、封水の表面まで上昇するが、既に底部若しくは下水側に移動しているので、少なくとも一部は、下水側の封水と空気（相）との界面へ到達し、封水と空気（相）との直接接触を防止できる。例えば、比重１．０未満、蒸気圧が水よりも低い油系成分（１〜９９質量％）と、水系成分（１〜９９質量％）とを混合し、分散させて、排水トラップに投入する。分散をより容易にするために、界面活性剤（０．００１〜３０質量％）を更に加え、撹拌などで分散させることがより好ましい。
【００２２】
ここで、上記油系成分の沸点は、水の沸点以上であることが好ましい。油系成分とは、実質的に水に溶解しないものであればよい。例えば、多少溶解しても、不溶部分が溶解せずに残り、混合、乳化の後にこの不溶部分が相分離できればよい。尚、水に対する溶解度が、室温で１％以下であることがより好ましい。蒸気圧が低いとは、蒸発し難いことを意味することができる。例えば、室温で、蒸気圧が２０ｍｍＨｇ以下であると好ましい。更に好ましくは、１０ｍｍＨｇ以下である。そして、１ｍｍＨｇ以下であればより一層好ましい。この油系成分は、液体である。また、その比重は、水よりも小さいものが好ましく、例えば、０．９９９以下が好ましい。また、より好ましくは、０．９５以下である。素早い相分離という観点から、０．９以下であればより一層好ましい。しかしながら、比重があまりに小さく、また、撥水性の高い流体の場合は、相分離が急速に起こるおそれがあり、また、分散が十分に行われないおそれがある。尚、このような油系成分は、２以上の化合物を混合することにより物理的に及び／又は化学的に生成されてもよい。また、水の表面にその層を広げやすい比較的粘度の低いものが好ましい。また、水が拡散して表面に出難いように、被覆性が高い方が好ましい。
【発明の効果】
【００２３】
本発明による水封型排水トラップの封水蒸発防止剤組成物は特別な装置も必要とせず、長期間封水の蒸発を防止し、本来の水封型排水トラップの機能を長期間維持することが可能である。
【発明を実施するための最良の形態】
【００２４】
以下、図面を参照しつつ、本発明の実施例について詳しく説明するが、これは本発明を理解するために記述されるのであって、本発明の範囲を限定するものではない。
【００２５】
図１（ａ）から（ｅ）は、本発明の封水蒸発防止剤組成物を適用した排水システムを図解する。排水システムの基本構成は、上述する図５（ａ）から（ｅ）と共通するため、ここでは重複する説明は省略する。図１（ａ）において、封水１８は、封水部に溜められているが、大気と接する自由表面に相当する部分に、本発明の封水蒸発防止剤組成物から構成される成分２２が層状に広がっている。この成分は液体であり、水１８よりも比重が小さく、水１８の表面に層を形成する。この成分は、水よりも蒸発がし難く、長時間大気中に曝されても蒸発により、層が薄くなり難い。例えば、水よりも常温において蒸気圧が低い、又は、水よりも沸点が高い。また、その下にある水がかかる層内を拡散して、表面にでて蒸発することがし難いように、水の層内の拡散が低い成分となっている。このように封水１８が蒸発する経路をかかる成分により蓋をするため、封水１８の蒸発が極めて低く抑えられる。
【００２６】
図１（ｂ）、（ｃ）、（ｄ）、（ｅ）において、それぞれ、同様な成分５０、６８、８８、１１２がやはり封水４６、６４、８４、１０８の表面を覆い、その蒸発を効果的に防いでいる。そのため、封水４６、６４、８４、１０８の蒸発が極めて低く抑えられる。従って、水封型排水トラップの機能を長期間維持することが可能である。
【００２７】
図２は、洗面台１０を例にとり、本発明の封水蒸発防止剤組成物を適用する方法を図解するものである。水及び封水蒸発防止剤組成物に不活性な材質からなる容器２００に所定量の封水蒸発防止剤組成物２０２が入っている。そこに、水道等の管２０４から水２０６を所定の割合で混合する。そして容器２００の封をし、しばらく静置すると、下から水の相２０６、封水蒸発防止剤組成物の相２０２、空気の相２０８ができる。これを容器ごと上下に撹拌すると、分離していた下から水の相２０６及び封水蒸発防止剤組成物の相２０２が混ざり合って乳化した液体２１０ができる。容器２００の蓋を開け、洗面台１０のシンク１４に流すと、既に封水１８が溜められた封水部に、この混合物が流れ込む。投入される乳化した液体２１０が大量の場合は、図２の左下（ｂ）のように、封水部に乳化した液体２１０が入れ替わって溜まる。しばらく時間が経つと、比重がより低い封水蒸発防止剤組成物が表面に広がり、封水の表面を覆い、蒸発を防止する（図１（ａ））。
【００２８】
一方、投入される乳化した液体２１０が少量の場合は、図２の右下（ｃ）のように、封水部に溜められた封水に乳化した液体２１０が入り込み、封水部の底部を越えて、下水側に達する。しばらく時間が経つと、既に溜められた水と、投入により新たに加えられた水が合体し水相を底部に形成し、比重がより低い封水蒸発防止剤組成物は表面に広がる。このようにして、下水側にも投入された水に分散されて一体となって一緒に移動した封水蒸発防止剤組成物が封水の下水側の表面をも覆い、両側で封水の蒸発を防止する（図１（ａ））。
【００２９】
封水の表面を何らかの方法で覆えば、蒸発を防げることは考え付くことができるが、狭い配水管の中、しかもＳ字に屈曲している反対側まで、封水の表面を覆うことは、物理的には極めて困難であったが、この方法では、容易に封水の表面を覆うことができ、しかも、覆っている組成物が液体であり、配水管を詰まらせることなく容易に流すことができる。また、油系成分を含む封水蒸発防止剤組成物であっては、ＢＯＤ若しくはＣＯＤを悪化させるおそれもあり、図２（ｃ）のように少量の封水蒸発防止剤組成物で封水の蒸発を防ぐことがより好ましい。
【００３０】
ここで、本発明の封水蒸発防止剤組成物に含まれる成分について、より詳しく述べる。本発明の封水蒸発防止剤組成物の主成分は、比重が水よりも小さく、蒸気圧が水よりも小さい油系成分である。通常食用としている各種の油脂類、流動パラフィン等の油系物質の他に、アルコール類、ケトン類、アルデヒド類、エステル類、シリコーン類（例えば、環状ポリアルキルシロキサン等）、各種精油類、炭化水素類等の油系物質があげられる。これらは、匂いの無いものまたは微弱なものか、不快な匂いでないものがその用途から考えると望ましい。これらは単体で用いても、二種以上の混合物で用いてもよい。即ち、図２において、水と混ぜる段階で、比重が水よりも小さく、蒸気圧が水よりも小さい水不溶性のものを生成すればよいため、化学反応等により、１又はそれ以上の種類の化合物を用いてもよい。このような主成分は、封水蒸発防止剤組成物中で、１〜９９質量％の割合で配合される。この配合量が１質量％未満では目的とする蒸発防止能力に乏しくなるおそれがある。このような組成物を水なしで封水部に適用することも可能であるが、多くの場合油系の液体であるので、環境への負荷の面から少ない方が好ましい。
【００３１】
また、図２に示すように後から水を加えるのではなく、予め水系の液体と混ぜてそのまま排水管に流すことができる封水蒸発防止剤組成物とすることもできる。このような場合は、主成分としての油系成分は、環境への負荷の面から２〜３０質量％が望ましい。この混ぜられる水系成分は、純水、軟水、蒸留水、通常の水道水等を例として挙げることができる。これらは単独で用いても、２種以上を組み合わせて用いてもよい。経済性、貯蔵安定性の点から、水道水、イオン交換水が好ましい。この水系成分は、封水蒸発防止剤組成物中で１〜９９質量％の割合で配合されてよい。より好ましくは、１０〜７０質量％である。
【００３２】
本発明の封水型防止剤組成物には、更に、界面活性剤を含んでもよい。この界面活性剤は、主成分の油系成分と、後から加えられる水（封水蒸発防止剤組成物に水を加えて使用する場合）若しくは上述の水系成分（封水蒸発防止剤組成物をそのまま適用できる場合）と、を使用前に軽く上下に振るだけで内容物の油系成分が水中に乳化・分散できるものが好ましい。即ち、水封部分に投入する際に簡単な撹拌で、すばやく均一に混合できるようにする為に配合される。また、長期間放置される排水トラップ内の汚れを洗浄する効果を持たせることもできる。また、長期間放置される排水トラップに汚れが付着するのを防止するような効果を持たせることも可能である。更に、長期間放置された排水トラップを通常の使用状況に戻す際に、軽く水を流すだけで油系成分がすばやく排水トラップ中から排出されるようにする効果を持たせることもできる。このような界面活性剤としては、陰イオン界面活性剤、陽イオン界面活性剤、非イオン界面活性剤、両性界面活性剤のいずれも用いることができる。このような界面活性剤は、単体で用いても、二種以上の混合物で用いてもよい。上述する主成分である油系成分と、後から加えられる水（封水蒸発防止剤組成物に水を加えて使用する場合）若しくは上述の水系成分（封水蒸発防止剤組成物をそのまま適用できる場合）と、を排水トラップ中に投入する際に攪拌または振盪することにより、ほぼ均一に乳化・分散可能となるような量の界面活性剤を加えることが好ましい。即ち、油系成分と水系成分がほぼ均一に乳化・分散し、排水口に投入できる状態にできる界面活性剤の量であれば特に限られることはないが、一般には、０．００１質量％以上が好ましく、３０質量％以下が好ましい。更に好ましくは、５質量％以下である。
【００３３】
また、本発明の排水トラップ封水蒸発防止剤組成物には、上記成分に加え本発明の目的を阻害しない範囲で必要に応じて、さらに、色素、香料、精油、顔料、顔料分散剤、防腐剤、防黴剤、殺菌剤、金属イオン封鎖剤、増粘剤、油系／水系の分離促進剤、防虫剤、害虫忌避剤、殺虫剤、漂白剤、アルカリ、酸、無機塩類、有機塩類、溶剤、植物抽出エキス、消臭剤、除臭剤、蛋白分解や油脂分解酵素などの酵素類、酸化剤、還元剤、研磨剤、高分子吸水剤、バクテリアや酵母の賦活剤等を一種または二種以上自由に配合することができる。
【００３４】
本発明の封水蒸発防止剤組成物は、ポリエチレンボトル等に充填し封水の蒸発防止剤として供されてもよい。封水の蒸発防止に使用する時は、使用前に上下に振って油系成分と水性成分が乳化又は分散した状態にして水封型排水トラップの封水に投入して使用する。投入された封水蒸発防止剤組成物は封水と適度に混合し、まんべんなく封水に行き渡る。時間の経過と共に油系成分が上部に分離し油成分が封水の表面をカバーする。これにより封水の蒸発を長期間防止する効果が得られ、水封型排水トラップの機能を長期間維持することができる。また、本来の使用状況になった場合においても、配合されている界面活性剤の力で油系成分が簡単に乳化分散して流れる為、油系成分の固着が起き難い。
【００３５】
本発明の封水蒸発防止剤組成物は、上記のようにボトルに充填して製品化しても良いが、耐水性のポリエチレン等の袋に充填しても良い、またエアゾールに充填しても良い、耐水性の紙パックに充填しても良いなどその商品形態は自由に選定することができる。
【００３６】
（実験１）
以下、具体的な実験例を説明する。表１に示す材料をそれぞれの配合割合に従い、混合し、実施例１から３及び比較例１をそれぞれ５００ｃｃ準備し、ガラス容器に充填した。尚、各材料の商品名、一般名称、メーカ名を表２にまとめる。これらの混合物を充填した容器を密封し、それぞれ上下に２０回激しく振り、静置し、１０秒後に乳化の状態を目視で観察した。その結果を表１にまとめる。油剤、界面活性剤、防腐剤、色素、そして水を混ぜた実施例１は、乳化状態が非常に良好であった。油剤、界面活性剤、そして水を混ぜた実施例２も乳化状態が非常に良好であった。油剤、及び水だけを加えた実施例３では、乳化状態がやや良であったが、静置後直ぐに分離が始まっていた。
【００３７】
次に、図３に示すＳ字管３００に撹拌後の上記組成物を投入し、下水側への油系成分の移動が行われるかを調べた。透明な塩化ビニル製のパイプ及び継ぎ手を加工してＳ字排水トラップ３００を試作した。まず、水を投入し、通常の使用状況と同じように封水１８を溜めた。実施例１から３及び比較例１の組成物２１０を、それぞれ２０回上下に激しく振り、それぞれ５０ｃｃずつ排水口側から投入し、組成物が下水側の水面に達するかを目視で観察した。その結果、表１に示すように、実施例１及び２は油系成分が十分下水側に移動することがわかった。実施例３では、わずかに油系成分が下水側に移動することが認められた。比較例１は油系成分を含まないので、評価の対象外となった。
【００３８】
次に、封水を溜めた上記透明塩化ビニル製Ｓ字排水トラップに、実施例１から３及び比較例１の組成物２１０を、それぞれ２０回上下に激しく振り、それぞれ５０ｃｃずつ排水口側から投入し、直後の下水側の水位に目印を付けておき、３週間室温で保存した後に、水位の減少を測定した。その結果、表１のように実施例１及び２は、水の水位が殆ど低下していないことがわかった。実施例３では、１１ｍｍ低下していたが、比較例１の２２ｍｍの半分であり、実施例３の組成物投入の効果が認められた。
【００３９】
【表１】
0004390831.tif 000002
【００４０】
【表２】
0004390831.tif 000003
【００４１】
（実験２）
図４は、次の実験例で用いた水封型排水トラップの模式図である。内径３０ｍｍの透明塩化ビニル製の配水管からなる試作した水封型排水トラップ３３０は、排水口３３２を鉛直上方に開口し、２５０ｍｍほぼ垂直下側に伸び、そこで約９０度屈曲し水封型排水トラップ３３０の底部を幅１３０ｍｍ形成した後、鉛直に１４０ｍｍ上方に伸び、そこで９０度屈曲して水平に下水側３３６に伸びる。このようにして形成される封水部３３４には、封水量約１９０ｍｌを貯留可能である。このような試作水封型排水トラップ３３０を５つ用意し、それぞれ封水部３３４に封水１８を貯留させた。また、上記実施例１と同じ組成物をそれぞれ１０ｍｌ、２０ｍｌ、３０ｍｌ、４０ｍｌ、５０ｍｌメスシリンダーで測り取り、それぞれ実施例４、５、６、７、８とした。この実験２では、これら実施例４から８の組成物を、容器２００内でよく撹拌し、油系成分及び水系成分を分散させて、それぞれ５つの試作水封型排水トラップ３３０の排水口３３２より投入した。
【００４２】
その結果、実施例４から８のいずれも、分散組成物２０２が、水封型排水トラップ３３０の底部を通って、下水側３３６に流入した。そして、１時間後には、下水側及び排水口側の封水と空気との界面（即ち封水の表面）に油膜が形成された。従って、実施例４のように１０ｍｌの組成物でも十分油膜を形成し蒸発を防止できるが、作業者の熟練度、自然落下によるか噴射によるか等の投入方法の影響を考えれば、実施例５又は６の２０から３０ｍｌの投入が好ましいと考えられる。更に配管内部の汚れの影響等を加味すれば、また、より完全な油膜形成を望むならば、より多い５０ｍｌの投入が望ましい。しかしながら、環境負荷を考えれば、少ない方が好ましい。
【００４３】
このように最適投入量は、投入される組成物の成分、物性等により異なり、また、対象となる水封型排水トラップの封水量、形状、汚れ等により異なり、また、気温、蒸発を防止すべき期間によっても異なる。しかしながら、１９０ｍｌの封水量に対して、概ね５％以上、より好ましくは１０％以上と考えることもできる。また、環境負荷、コスト等を考えれば少なければ少ない方が好ましい。本実験例の場合についていえば、１９０ｍｌの封水量に対して、概ね１０から２０％の投入量が好ましいと考えられる。
【００４４】
以上のように、本発明の排水トラップ封水蒸発防止剤組成物では、長期間封水の蒸発を防止し、本来の水封型排水トラップの機能を長期間維持することが可能であった。また、界面活性剤の働きにより、油系成分がより容易に乳化・分散され、既に封水が溜まっているところに少量の排水トラップ封水蒸発防止剤組成物を投入しても、下水側の封水の表面まで油系成分が移動し、表面を覆って、封水の蒸発を防止することができる。また、防腐剤を混ぜることにより、組成物自体の保存性が増すばかりでなく、投入後の封水への防腐効果も期待できる。
【図面の簡単な説明】
【００４５】
【図１】本発明の実施例の組成物を水封型排水トラップに適用したときの状態を示す模式図である。
【図２】本発明の実施例の組成物を適用する封水の蒸発防止方法を図解する。
【図３】本発明の実験例１を図解する図である。
【図４】本発明の実験例２を図解する図である。
【図５】従来の水封型排水トラップを用いた排水系の模式図である。
【符号の説明】
【００４６】
１０    洗面台
１６、４４、６２、８６、１１０    排水管
１８、４６、６４、８４、１０８    封水
２２、５０、６８、８８、１１２、２０２    排水トラップ封水蒸発防止剤組成物
１００、３３０    水封型排水トラップ
２００    容器
２１０    撹拌により乳化・分散した液体
３００    Ｓ字管
【図１】
0004390831.tif 000004
【図２】
0004390831.tif 000005
【図３】
0004390831.tif 000006
【図４】
0004390831.tif 000007
【図５】
0004390831.tif 000008